【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
複数の送信アンテナを含む第１のトランシーバデバイスと、複数の受信アンテナを含む第２のトランシーバデバイスとを有する通信システムにおいてアンテナを選択する方法であって、
送信データを符号化して、１以上の符号化空間データストリームを、複数の送信チェーンを介した送信用に生成する段階と、
空間拡散マトリックスを利用して、前記１以上の符号化空間データストリームを前記複数の送信チェーンへ配信する段階と、
前記第１のトランシーバデバイスと前記第２のトランシーバデバイスとの間のチャネル推定マトリックスを介して、前記複数の受信アンテナの１以上へのデータ送信に利用される前記複数の送信アンテナの１以上を選択する段階と
を備え、
前記複数の送信アンテナの前記１以上を選択する段階は、
前記チャネル推定マトリックスの前記空間拡散マトリックスを考慮する段階を有し、
前記符号化空間データストリームの数は、前記符号化空間データストリームの送信に利用される前記複数の送信チェーンの数と異なり、
前記複数の送信チェーンの数は、前記複数の送信アンテナの数より少なく、
前記空間拡散マトリックスは、前記符号化空間データストリームの送信に利用される前記複数の送信チェーンの数に等しい数の複数の行を有する行サイズと、送信される前記符号化空間データストリームの数に等しい数の複数の列を有する列サイズとに関連付けられているコンポーネントを有し、
前記チャネル推定マトリックスは、複数の受信チェーンの数に等しい数の複数の行を有する行サイズと、送信される前記符号化空間データストリームの数に等しい数の複数の列を有する列サイズとに関連付けられているコンポーネントを有する方法。
【請求項２】
前記複数の送信アンテナの前記１以上を選択する段階は、
前記チャネル推定マトリックスから前記空間拡散マトリックスを除去して、前記複数の送信アンテナと前記複数の受信アンテナとの間のチェーンツーチェーンチャネルマトリックスを決定し、前記チェーンツーチェーンチャネルマトリックスに関連付けられた前記複数の送信アンテナの１以上を選択する段階を有する請求項１に記載の方法。
【請求項３】
前記第１のトランシーバデバイスと前記第２のトランシーバデバイスとの間のチャネル推定マトリックスを介して、前記複数の受信アンテナの１以上へのデータ送信に利用される前記複数の送信アンテナの１以上を選択する段階は、
前記複数の送信アンテナと前記複数の受信アンテナとの間の前記チャネルの全次元記述に対応する全次元チャネルマトリックス内の潜在的なチャネルサブマトリックスを検索する段階と、
前記チャネルサブマトリックスのうちいずれか１つを最適基準に基づいて選択する段階と、
前記選択されたチャネルサブマトリックスに対応する前記複数の送信アンテナのうちのサブセットを選択する段階と
を有し、
前記全次元チャネルマトリックスは、前記複数の受信アンテナの数に等しい数の複数の行を有する行サイズと前記複数の送信アンテナの数に等しい数の複数の列を有する列サイズとに関連付けられているコンポーネントを有し、
各チャネルサブマトリックスは、前記複数の受信チェーンの数に等しい数の複数の行を有する行サイズと前記複数の送信チェーンの数に等しい数の複数の列を有する列サイズとに関連付けられているコンポーネントを有し、
前記データを前記複数の受信アンテナの１以上へ送信するのに利用される前記チャネル推定マトリックスは、前記選択されたチャネルサブマトリックスを有する請求項１または２に記載の方法。
【請求項４】
前記チャネルサブマトリックスのうちいずれか１つを最適基準に基づいて選択する段階は、
各々が異なるチャネルサブマトリックスに対応する２以上のテストステアリングマトリックスを生成する段階と、
各テストステアリングマトリックスを前記対応するチャネルサブマトリックスへ適用する段階と、
前記テストステアリングマトリックスが適用されると、前記空間拡散マトリックスを各チャネルサブマトリックスに適用する段階と、
前記２以上のテストステアリングマトリックスの各々および前記空間拡散マトリックスを利用して、前記第１のトランシーバデバイスから前記第２のトランシーバデバイスへ、テスト信号を送信する段階と、
前記送信されたテスト信号の各々に関連付けられた品質係数を決定する段階と、
前記チャネルサブマトリックスのいずれか１つを、前記決定された品質係数に基づいて前記データを送信するのに利用される前記チャネル推定マトリックスとして選択する段階と、
前記複数の送信アンテナから、前記選択されたチャネルサブマトリックスに対応する送信アンテナを選択する段階と
を有する請求項３に記載の方法。
【請求項５】
各潜在的なチャネルサブマトリックスを前記空間拡散マトリックスで右乗算して、対応するチャネルサブマトリックスを形成する段階をさらに備え、
前記対応するチャネルサブマトリックスは、複数の受信チェーンの数に等しい数の複数の行を有する行サイズと、送信される前記符号化空間データストリームの数に等しい数の複数の列を有する列サイズとに関連付けられているコンポーネントを有する請求項３または４に記載の方法。
【請求項６】
全次元チャネルマトリックス内の潜在的なチャネルサブマトリックスを検索する段階は、前記全次元チャネルマトリックス内の全ての潜在的なチャネルサブマトリックスを検索する段階を有し、
前記空間拡散マトリックスは、全次元チャネル空間拡散マトリックスの複数の第１の列を有し、
前記全次元チャネル空間拡散マトリックスは、前記符号化空間データストリームの送信に利用される前記複数の送信チェーンの数に等しい数の複数の行を有する行サイズと前記符号化空間データストリームの送信に利用される前記複数の送信チェーンの数に等しい数の複数の列を有する列サイズとに関連付けられているコンポーネントを有し、
前記全次元チャネル空間拡散マトリックスの前記複数の第１の列の数は、送信される前記符号化空間データストリームの数に等しい請求項３から５のいずれか１項に記載の方法。
【請求項７】
前記チャネル推定マトリックスは、前記複数の送信アンテナと前記複数の受信アンテナとの間の前記チャネルの全次元記述に対応する全次元チャネルマトリックスのサブチャネルマトリックスを有する請求項１から６のいずれか１項に記載の方法。
【請求項８】
前記符号化空間データストリームの数は、前記複数の送信チェーンの数および前記複数の受信チェーンの数の最小値より少ない請求項１から７のいずれか１項に記載の方法。
【請求項９】
前記空間拡散マトリックスは、全次元チャネル空間拡散マトリックスの複数の第１の列を有し、
前記全次元チャネル空間拡散マトリックスは、前記符号化空間データストリームの送信に利用される前記複数の送信チェーンの数に等しい数の複数の行を有する行サイズと前記符号化空間データストリームの送信に利用される前記複数の送信チェーンの数に等しい数の複数の列を有する列サイズとに関連付けられているコンポーネントを有し、
前記全次元チャネル空間拡散マトリックスの前記複数の第１の列の数は、送信される前記符号化空間データストリームの数に等しい請求項１から８のいずれか１項に記載の方法。
【請求項１０】
前記全次元チャネル空間拡散マトリックスは直交型である請求項９に記載の方法。
【請求項１１】
前記第１のトランシーバデバイスは、複数のキャリアを介した送信機能を有し、
前記第２のトランシーバデバイスは、前記複数のキャリアの受信機能を有し、
前記第１のトランシーバデバイスは、直交周波数分割多重（ＯＦＤＭ）トランシーバであり、
第２のトランシーバデバイスは、ＯＦＤＭトランシーバであり、
前記複数のキャリアは、複数のＯＦＤＭサブキャリアである請求項１から１０のいずれか１項に記載の方法。
【請求項１２】
複数の送信アンテナを含む第１のトランシーバデバイスと、複数の受信アンテナを含む第２のトランシーバデバイスとを有する通信システムにおいてアンテナを選択する方法であって、
複数の符号化空間データストリームを前記複数の符号化空間データストリームを送信ための複数の送信チェーンへ配信するのに利用される空間拡散マトリックスを、全次元チャネル空間拡散マトリックスの第１の列セットとして定義する段階と、
前記第１のトランシーバデバイスと前記第２のトランシーバデバイスとの間のチャネル推定マトリックスを介して送信され複数の受信チェーンを介して受信される１以上の符号化空間データストリームを受信するのに利用される前記複数の受信アンテナの１以上を選択する段階と
を備え、
前記全次元チャネル空間拡散マトリックスは、前記複数の送信チェーンの数に等しい数の複数の行を有する行サイズと前記複数の送信チェーンの数に等しい数の複数の列を有する列サイズとに関連付けられているコンポーネントを有し、
前記全次元チャネル空間拡散マトリックスの前記第１の列セットの列の数は、送信される前記符号化空間データストリームの数に等しく、
前記符号化空間データストリームの数は、前記符号化空間データストリームの送信に利用される前記複数の送信チェーンの数とは異なり、
前記複数の受信チェーンの数は、前記複数の受信アンテナの数より少なく、
前記複数の受信アンテナの１以上を選択する段階は、前記定義された空間拡散マトリックスを考慮する段階を有する
方法。
【請求項１３】
前記複数の受信アンテナの前記１以上を選択する段階は、
前記チャネル推定マトリックスから前記空間拡散マトリックスを除去して、前記複数の送信アンテナと前記複数の受信アンテナとの間のチェーンツーチェーンチャネルマトリックスを決定し、前記複数の受信アンテナから、前記チェーンツーチェーンチャネルマトリックスに関連付けられた受信アンテナを選択する段階を有する請求項１２に記載の方法。
【請求項１４】
１以上の符号化空間データストリームの受信に利用される前記複数の受信アンテナの１以上を選択する段階は、
前記複数の送信アンテナと前記複数の受信アンテナとの間の前記チャネルの全次元記述に対応する全次元チャネルマトリックス内の潜在的なチャネルサブマトリックスを検索する段階と、
前記チャネルサブマトリックスのうちいずれか１つを最適基準に基づいて選択する段階と、
前記複数の受信アンテナから、前記選択されたチャネルサブマトリックスに対応する受信アンテナを選択する段階と
を有し、
前記全次元チャネルマトリックスは、前記複数の受信アンテナの数に等しい数の複数の行を有する行サイズと前記複数の送信アンテナの数に等しい数の複数の列を有する列サイズとに関連付けられているコンポーネントを有し、
各チャネルサブマトリックスは、前記複数の受信チェーンの数に等しい数の複数の行を有する行サイズと前記複数の送信チェーンの数に等しい数の複数の列を有する列サイズとに関連付けられているコンポーネントを有し、
前記データを前記複数の受信アンテナの１以上へ送信するのに利用される前記チャネル推定マトリックスは、前記選択されたチャネルサブマトリックスを有する請求項１２または１３に記載の方法。
【請求項１５】
前記チャネルサブマトリックスのうちいずれか１つを最適基準に基づいて選択する段階は、
各々が異なるチャネルサブマトリックスに対応する２以上のテストステアリングマトリックスを生成する段階と、
各テストステアリングマトリックスを前記対応するチャネルサブマトリックスへ適用する段階と、
前記テストステアリングマトリックスが適用されると、前記空間拡散マトリックスを各チャネルサブマトリックスに適用する段階と、
前記２以上のテストステアリングマトリックスの各々および前記空間拡散マトリックスを利用して、前記第１のトランシーバデバイスから前記第２のトランシーバデバイスへ、テスト信号を送信する段階と、
前記送信されたテスト信号の各々に関連付けられた品質係数を決定する段階と、
前記チャネルサブマトリックスのいずれか１つを、前記決定された品質係数に基づいて前記データを受信するのに利用される前記チャネル推定マトリックスとして選択する段階と、
前記選択されたチャネルサブマトリックスに対応する前記受信アンテナを選択する段階と
を有する請求項１４に記載の方法。
【請求項１６】
各潜在的なチャネルサブマトリックスを前記空間拡散マトリックスで右乗算して、対応するチャネルサブマトリックスを形成する段階をさらに備え、
前記対応するチャネルサブマトリックスは、複数の受信チェーンの数に等しい数の複数の行を有する行サイズと、送信される前記符号化空間データストリームの数に等しい数の複数の列を有する列サイズとに関連付けられているコンポーネントを有する請求項１４または１５に記載の方法。
【請求項１７】
全次元チャネルマトリックス内の潜在的なチャネルサブマトリックスを検索する段階は、前記全次元チャネルマトリックス内の全ての潜在的なチャネルサブマトリックスを検索する段階を有する請求項１４から１６のいずれか１項に記載の方法。
【請求項１８】
前記チャネル推定マトリックスは、前記複数の送信アンテナと前記複数の受信アンテナとの間の前記チャネルの全次元記述に対応する全次元チャネルマトリックスのサブチャネルマトリックスを有する、請求項１２から１７のいずれか１項に記載の方法。
【請求項１９】
前記符号化空間データストリームの数は、前記複数の送信チェーンの数および前記複数の受信チェーンの数の最小値より少ない請求項１２から１８のいずれか１項に記載の方法。
【請求項２０】
前記全次元チャネル空間拡散マトリックスは直交型である請求項１２から１９のいずれか１項に記載の方法。
【請求項２１】
前記第１のトランシーバデバイスは、複数のキャリアを介した送信機能を有し、
前記第２のトランシーバデバイスは、前記複数のキャリアの受信機能を有し、
前記第１のトランシーバデバイスは、直交周波数分割多重（ＯＦＤＭ）トランシーバであり、
第２のトランシーバデバイスは、ＯＦＤＭトランシーバであり、
前記複数のキャリアは、複数のＯＦＤＭサブキャリアである請求項１２から２０のいずれか１項に記載の方法。
【請求項２２】
複数のアンテナを有するトランシーバデバイスをトレーニングする、アンテナ選択方法であって、前記アンテナは、１以上の送信アンテナと１以上の受信アンテナとの間の複数の送信チェーンおよび複数の受信チェーンを有するチャネル推定マトリックスを介して１以上の符号化空間データストリームのデータ送信用に選択され、前記方法は、
複数の送信アンテナと複数の受信アンテナとの間のチャネルの全次元記述に対応する全次元チャネルマトリックス内の潜在的なチャネルサブマトリックスを検索する段階と、
各潜在的なチャネルサブマトリックスを空間拡散マトリックスで右乗算して、複数の受信チェーンの数に等しい数の複数の行を有する行サイズと、送信される前記符号化空間データストリームの数に等しい数の複数の列を有する列サイズとに関連付けられているコンポーネントを有する対応するチャネルサブマトリックスを形成する段階と、
前記チャネルサブマトリックスのうちいずれか１つを最適基準に基づいて選択する段階と、
前記選択されたチャネルサブマトリックスに対応する前記アンテナを選択する段階と
を備え、
前記全次元チャネルマトリックスは、前記複数の受信アンテナの数に等しい数の複数の行を有する行サイズと前記複数の送信アンテナの数に等しい数の複数の列を有する列サイズとに関連付けられているコンポーネントを有し、
各チャネルサブマトリックスは、前記データの受信に利用される前記複数の受信チェーンの数に等しい数の複数の行を有する行サイズと前記データの送信に利用される前記複数の送信チェーンの数に等しい数の複数の列を有する列サイズとに関連付けられているコンポーネントを有し、
前記符号化空間データストリームの数は、前記複数の送信チェーンの数および前記複数の受信チェーンの数の最小値より少なく、
前記複数の受信チェーンの数は、前記複数の受信アンテナの数より少なく、および／または、前記複数の送信チェーンの数は、前記複数の送信アンテナの数より少なく、
前記空間拡散マトリックスは、前記符号化空間データストリームの送信に利用される前記複数の送信チェーンの数に等しい数の複数の行を有する行サイズと、送信される前記符号化空間データストリームの数に等しい数の複数の列を有する列サイズとに関連付けられているコンポーネントを有し、
前記１以上の送信アンテナから前記１以上の受信アンテナへ前記データを送信するのに利用されるチャネル推定マトリックスは、前記選択されたチャネルサブマトリックスを有する
方法。
【請求項２３】
前記チャネルサブマトリックスのうちいずれか１つを最適基準に基づいて選択する段階は、
各々が異なるチャネルサブマトリックスに対応する２以上のテストステアリングマトリックスを生成する段階と、
各テストステアリングマトリックスを前記対応するチャネルサブマトリックスへ適用する段階と、
前記テストステアリングマトリックスが適用されると、前記空間拡散マトリックスを各チャネルサブマトリックスに適用する段階と、
前記２以上のテストステアリングマトリックスの各々および前記空間拡散マトリックスを利用して、前記送信アンテナの１以上から前記受信アンテナの１以上へ、テスト信号を送信する段階と、
前記送信されたテスト信号の各々に関連付けられた品質係数を決定する段階と、
前記チャネルサブマトリックスのいずれか１つを、前記決定された品質係数に基づいて前記データを送信するのに利用される前記チャネル推定マトリックスとして選択する段階と、
前記選択されたチャネルサブマトリックスに対応する前記アンテナを選択する段階と
を有する請求項２２に記載の方法。
【請求項２４】
前記空間拡散マトリックスは、全次元チャネル空間拡散マトリックスの複数の第１の列を有し、
前記全次元チャネル空間拡散マトリックスは、前記符号化空間データストリームの送信に利用される前記複数の送信チェーンの数に等しい数の複数の行を有する行サイズと前記符号化空間データストリームの送信に利用される前記複数の送信チェーンの数に等しい数の複数の列を有する列サイズとに関連付けられているコンポーネントを有し、
前記全次元チャネル空間拡散マトリックスの前記複数の第１の列の数は、送信される前記符号化空間データストリームの数に等しい請求項２２または２３に記載の方法。
【請求項２５】
２以上のアンテナを有する送信システム内の装置であって、
空間拡散マトリックスを生成して、チャネル推定マトリックスを介してチェーンツーチェーン送信内の複数のチェーンのなかの１以上の符号化空間データストリームを配信する空間拡散計算部と、
前記空間拡散計算部に連結されて、前記空間拡散マトリックスを利用して前記チェーンツーチェーン送信で利用される前記２以上のアンテナの選択を制御するコントローラと
を備え、
前記符号化空間データストリームの数は、複数の送信チェーンの数および複数の受信チェーンの数の最小値より少なく、
前記チャネル推定マトリックスは、複数の受信チェーンの数に等しい数の複数の行を有する行サイズと前記符号化空間データストリームの数に等しい数の複数の列を有する列サイズとに関連付けられているコンポーネントを有し、
前記複数の送信チェーンの数および／または前記複数の受信チェーンの数は、前記アンテナの数より少なく、
前記空間拡散マトリックスは、前記符号化空間データストリームの前記送信に利用される前記複数の送信チェーンの数に等しい数の行を有する行サイズと前記符号化空間データストリームの数に等しい数の列を有する列サイズとに関連付けられているコンポーネントを有する装置。
【請求項２６】
前記装置は、無線トランスミッタから信号を受信する無線レシーバを備える請求項２５に記載の装置。
【請求項２７】
前記２以上のアンテナは、前記無線トランスミッタの２以上の送信アンテナを含み、
前記コントローラは、前記無線トランスミッタの前記２以上の送信アンテナの前記選択を制御することで、前記無線レシーバへ前記符号化空間データストリームを送信する請求項２６に記載の装置。
【請求項２８】
前記２以上のアンテナは、前記無線レシーバの２以上の受信アンテナを含み、
前記コントローラは、前記無線レシーバの前記２以上の受信アンテナの前記選択を制御することで、前記無線トランスミッタから前記符号化空間データストリームを受信する請求項２６または２７に記載の装置。
【請求項２９】
前記空間拡散マトリックスは、全次元チャネル空間拡散マトリックスの複数の第１の列を有するよう予め定義されており、
前記全次元チャネル空間拡散マトリックスは、前記符号化空間データストリームの送信に利用される前記複数の送信チェーンの数に等しい数の複数の行を有する行サイズと前記符号化空間データストリームの送信に利用される前記複数の送信チェーンの数に等しい数の複数の列を有する列サイズとに関連付けられているコンポーネントを有し、
前記全次元チャネル空間拡散マトリックスの前記複数の第１の列の数は、送信される前記符号化空間データストリームの数に等しい請求項２６から２８のいずれか１項に記載の装置。
【請求項３０】
前記空間拡散マトリックスは、前記レシーバが前記トランスミッタとの通信に利用する通信プロトコルにより予め定義される、請求項２６から２９のいずれか１項に記載の装置。
【請求項３１】
複数のアンテナを有するトランシーバデバイスをトレーニングする、アンテナ選択方法であって、
複数の送信チェーンと、複数の受信チェーンとを有するマルチプル入力マルチプル出力（ＭＩＭＯ）システムに対応する複数のチャネル推定サブマトリックスを決定することと、
前記複数の送信チェーンの数および前記複数の受信チェーンの数の最小値より少ない空間ストリームの数に対応する空間拡散マトリックスを考慮する複数のチャネル推定サブマトリックスを形成するべく、複数のチャネル推定サブマトリックスのそれぞれに対して、空間拡散マトリックスを適用することと、
最適基準に基づいて、前記空間拡散マトリックスを考慮する前記複数のチャネル推定サブマトリックスのうちの１つを選択することと、
前記選択された空間拡散マトリックスを考慮するチャネル推定サブマトリックスに対応するアンテナのサブセットを選択すること
を含むアンテナ選択方法。
【請求項３２】
前記複数のアンテナは、複数の送信アンテナであって、
前記アンテナ選択方法はさらに、前記複数の送信アンテナを介して送信されたチャネルサウンディング情報を受信することを含み、
前記複数のチャネル推定サブマトリックスを決定することは、前記複数の送信アンテナを介して送信された前記チャネルサウンディング情報を利用することを含む
請求項３１に記載のアンテナ選択方法。
【請求項３３】
前記複数のアンテナは、複数の受信アンテナであって、
前記アンテナ選択方法はさらに、前記複数の受信アンテナを介して受信されたチャネルサウンディング情報を受信することを含み、
複数のチャネル推定サブマトリックスを決定することは、前記複数の受信アンテナを介して受信された前記チャネルサウンディング情報を使用することを含む
請求項３１に記載のアンテナ選択方法。
【請求項３４】
前記複数の送信チェーンと、前記複数の受信チェーンとを有する前記マルチプル入力マルチプル出力（ＭＩＭＯ）システムに対応する前記複数のチャネル推定サブマトリックスを決定することは、複数の送信アンテナと複数の受信アンテナとの間のＭＩＭＯチャネルの全次元記述に対応する全次元チャネル推定マトリックス内のチャネル推定サブマトリックスを検索することを含み、
前記全次元チャネル推定マトリックスは、前記複数の受信アンテナの数に等しい数の複数の行を有する行サイズと前記複数の送信アンテナの数に等しい数の複数の列を有する列サイズとに関連付けられているコンポーネントを有し、
前記複数のチャネル推定サブマトリックスのそれぞれは、前記複数の送信チェーンの数に等しい数の複数の行を有する行サイズと前記複数の送信チェーンの数に等しい数の複数の列を有する列サイズとに関連付けられているコンポーネントを有し、
前記複数の受信チェーンの数は前記複数の受信アンテナの数よりも少なく、前記複数の送信チェーンの数は前記複数の送信アンテナの数よりも小さい
請求項３１から３３のいずれか１項に記載のアンテナ選択方法。
【請求項３５】
前記空間拡散マトリックスは、複数の送信チェーンの数に等しい数の複数の列を有する列サイズと、転送されるべき符号化空間データストリームの数と等しい数の複数の行を有する行サイズとに関連付けられているコンポーネントを有する
請求項３１から３４のいずれか１項に記載のアンテナ選択方法。
【請求項３６】
前記空間拡散マトリックスを考慮する各チャンネル推定サブマトリックスは、受信チェーンの数と同じ数の列を有する列サイズと空間ストリームの数と同じ数の行を有する行サイズとに関連付けられているコンポーネントを有する
請求項３５に記載のアンテナ選択方法。
【請求項３７】
前記空間拡散マトリックスを各チャネル推定サブマトリックスに適用することは、各チャネル推定サブマトリックスを前記空間拡散マトリックスで右乗算することを含む
請求項３１から３６のいずれか１項に記載のアンテナ選択方法。
【請求項３８】
前記複数のアンテナは複数の送信アンテナであって、
前記アンテナ選択方法は更に、前記複数の送信アンテナの選択されたサブセットを示す送信アンテナ選択情報を含む
請求項３１から３７のいずれか１項に記載のアンテナ選択方法。
【請求項３９】
前記空間拡散マトリックスは、全次元チャネル空間拡散マトリックス内の第１ＮＳＳ列を備え、
前記ＮＳＳは空間ストリームの数であり、
前記全次元チャネル空間拡散マトリックスは、符号化された空間データストリームを転送するのに使用される送信チェーンの数と等しい数の列を有する列サイズと、符号化された空間データストリームを転送するのに使用される送信チェーンの数と等しい数の行を有する行サイズとに関連付けられているコンポーネントを備え、
前記全次元チャネル空間拡散マトリックス内の第１行の数は、送信される符号化された空間データストリームの数に等しい
請求項３１から３８のいずれか１項に記載のアンテナ選択方法。
【請求項４０】
送信システム内の装置であって、
複数の送信チェーンと、複数の受信チェーンとを有するマルチプル入力マルチプル出力（ＭＩＭＯ）システムに対応する複数のチャネル推定サブマトリックスを決定し、
前記複数の送信チェーンの数および複数の受信チェーンの数の最小値より少ない空間ストリームの数に対応する空間拡散マトリックスを考慮する前記複数のチャネル推定サブマトリックスを形成するべく、前記複数のチャネル推定サブマトリックスのそれぞれに対して、空間拡散マトリックスを適用し、
最適基準に基づいて、空間拡散マトリックスを考慮する前記複数のチャネル推定サブマトリックスのうちの１つを選択し、
前記選択された空間拡散マトリックスを考慮するチャネル推定サブマトリックスに対応する複数のアンテナのサブセットを選択する
ように構成されたコントローラを備える装置。
【請求項４１】
前記複数のアンテナは複数の送信アンテナであって、
前記コントローラは、前記複数の送信アンテナの異なるサブセットを介して送信されたチャネルサウンディング情報を使用して、複数のチャネル推定サブマトリックスを決定する
請求項４０に記載の装置。
【請求項４２】
前記複数のアンテナは複数の受信アンテナであって、
前記コントローラは、前記複数の受信アンテナの異なるサブセットを介して受信されたチャンネルサウンディング情報をしようして、前期複数のチャネル推定サブマトリックスを決定する
請求項４０または４１に記載の装置。
【請求項４３】
前記空間拡散マトリックスを記憶するメモリを更に備える請求項４０から４２のいずれか１項に記載の装置。
【請求項４４】
前記複数のアンテナは複数の送信アンテナであり、
前記コントローラは、前記複数の送信アンテナの選択されたサブセットを示す送信アンテナ選択情報を、前記装置に送信させる
請求項４０から４３のいずれか１項に記載の装置。
【請求項４５】
前記空間拡散マトリックスは、全次元チャネル空間拡散マトリックス内の第１ＮＳＳ列を備え、
前記ＮＳＳは空間ストリームの数であり、
前記全次元チャネル空間拡散マトリックスは、符号化された空間データストリームを転送するのに使用される送信チェーンの数と等しい数の列を有する列サイズと、符号化された空間データストリームを転送するのに使用される送信チェーンの数と等しい数の行を有する行サイズとに関連付けられているコンポーネントを備え、
前記全次元チャネル空間拡散マトリックス内の第１行の数は、送信される符号化された空間データストリームの数に等しい
請求項４０から４４のいずれか１項に記載の装置。